(57)【特許請求の範囲】
【請求項１】
扉の室外側に突出するキーシリンダ錠が錠ケースの一側に配設され、前記扉の室内側に突出するサムターンが前記錠ケースの他側に配設され、前記キーシリンダ錠及び前記サムターンによってデッドボルトが解錠位置と施錠位置との間を作動するケースロック装置において、
前記キーシリンダ錠の外筒の室内側端面と前記サムターンのサムターン本体の室外側端面を当接させて前記キーシリンダ錠の外筒と前記サムターン本体とを互いに連結固定するとともに前記錠ケースに固定し、前記キーシリンダ錠のインナ部材と前記サムターンのサムターン軸を駆動連結し、
前記サムターン本体の室内側端面には収容凹部が形成され、前記収容凹部内に前記サムターンの摘みの室外側端部が回動可能に収容支持されることを特徴とするケースロック装置。
【請求項２】
請求項１に記載のケースロック装置において、
前記外筒の基端部を、前記錠ケースの他側まで進入させて、前記錠ケースの他側に設けたサムターン本体と連結したことを特徴とするケースロック装置。
【請求項３】
請求項１又は２に記載のケースロック装置において、
互いに連結した前記インナ部材と前記サムターン軸のいずれか一方を、前記デッドボルトを作動させる作動機構に連結したことを特徴とするケースロック装置。
【請求項４】
請求項３に記載のケースロック装置において、
前記インナ部材と連結された前記サムターン軸は、前記デッドボルトを作動させる作動機構に連結したことを特徴とするケースロック装置。
【発明の詳細な説明】
【技術分野】
【０００１】
本発明は、ケースロック装置に関する。
【背景技術】
【０００２】
従来、扉の戸先側に内蔵されたケースロック装置において、ケースロック本体（錠ケース）が扉内に設けられ、ケースロック本体にはサムターンが後面（内側面）から突出するように設けられている。また、ケースロック本体には円筒状のキーシリンダ錠が前面（外側面）から突出するように設けられている（例えば、特許文献１）。そして、キーシリンダ錠にキーを差し込み回すことによって、扉内に設けたケースロックを開状態にする。
【特許文献１】特開２００４−３５３３４９号広報
【発明の開示】
【発明が解決しようとする課題】
【０００３】
ところで、円筒状のキーシリンダ錠は、一般的にキーの長さに応じて長く、その分キーシリンダ錠が扉から大きく突出していた。キーシリンダ錠が扉から大きく突出していた。従って、扉から大きく突出していることからハンマーを使ってキーシリンダ錠を破壊し易かった。突出していることからキーシリンダ錠を把持し易く道具を使ってキーシリンダ錠をもぎ取られ不正に扉を開けられてしまうおそれがあった。
【０００４】
また、キーシリンダ錠が扉から大きく飛出していることから、扉を周りの建具との調和から扉のデザイン性を損なうこともあり、扉の設計の自由度が制限されることもあった。
さらに、キーシリンダ錠が扉から大きく飛出していることから、体の一部が当たってケガをしたり、衣服が引っ掛かって衣服を破ってしまうといったことがあった。
【０００５】
本発明は上記問題点を解消するためになされたものであって、その目的は、キーシリンダ錠、サムターンの少なくとも一方の出っ張りを小さくできるケースロック装置を提供することにある。
【課題を解決するための手段】
【０００６】
請求項１の発明は、扉の室外側に突出するキーシリンダ錠が錠ケースの一側に配設され、前記扉の室内側に突出するサムターンが前記錠ケースの他側に配設され、前記キーシリンダ錠及び前記サムターンによってデッドボルトが解錠位置と施錠位置との間を作動するケースロック装置において、前記キーシリンダ錠の外筒の室内側端面と前記サムターンのサムターン本体の室外側端面を当接させて前記キーシリンダ錠の外筒と前記サムターン本体とを互いに連結固定するとともに前記錠ケースに固定し、前記キーシリンダ錠のインナ部材と前記サムターンのサムターン軸を駆動連結し、前記サムターン本体の室内側端面には収容凹部が形成され、前記収容凹部内に前記サムターンの摘みの室外側端部が回動可能に収容支持される。
【０００７】
請求項２の発明は、請求項１に記載のケースロック装置において、外筒の基端部を、錠ケースの他側まで進入させて、錠ケースの他側に設けたサムターン本体と連結した。
請求項３の発明は、請求項１又は２に記載のケースロック装置において、互いに連結したインナ部材とサムターン軸のいずれか一方を、デッドボルトを作動させる作動機構に連結した。
【０００８】
請求項４の発明は、請求項３に記載のケースロック装置において、インナ部材と連結されたサムターン軸は、デッドボルトを作動させる作動機構に連結した。
【発明の効果】
【０００９】
請求項１に記載の発明によれば、キーシリンダ錠の外筒とサムターンのサムターン本体
とを互いに連結することにより、外筒、サムターン本体の少なくとも一方は、錠ケース内を進入して他方と連結することになる。その結果、その錠ケース内を進入した分だけ、キーシリンダ錠、サムターンの少なくともいずれか一方は、扉からの突出量を小さくすることができる。
【００１０】
請求項２に記載の発明によれば、キーシリンダ錠の外筒は、錠ケースの他側まで進入させて、サムターン本体と連結したことにより、その錠ケースの他側まで進入させた分だけ、キーシリンダ錠は扉からの突出量を小さくすることができる。
【００１１】
請求項３に記載の発明によれば、デッドボルトを作動させる作動機構は、インナ部材とサムターン軸のいずれか一方にしか連結していないので、その分だけ連結構造が簡単になる。
【００１２】
請求項４に記載の発明によれば、デッドボルトを作動させる作動機構は、前記サムターン軸に連結されているので、キーシリンダ錠は、デッドボルトを作動させる際には、サムターン軸及び作動機構を介して作動させることができる。
【発明を実施するための最良の形態】
【００１３】
以下、本発明を具体化した一実施形態を図１〜図１８に従って説明する。
図１において、扉１は、出入口枠２に対して図示しないヒンジにて開閉可能に支持されている。扉１内にはケースロック装置１１が内蔵されている。そして、図１に示すように、扉１の室外側化粧板４には、ケースロック装置１１の錠ケース１２から突出したキーシリンダ錠１００が設けられている。また、図２に示すように、扉１の室内側化粧板３には、錠ケース１２から突出したサムターン８０が設けられている。さらに、図３に示すように、扉１の戸先側の面には、錠ケース１２から出没するデッドボルト６０が設けられている。デッドボルト６０は、サムターン８０又はキーシリンダ錠１００を操作することによって、出入口枠２に設けたストライカ２ａに嵌入したり、ストライカ２ａから退出する。
【００１４】
図４及び図５に示すように、ケースロック装置１１の錠ケース１２は、室内側に配設されたケース本体１２ａと室外側に配設されたケースカバー１２ｂとから構成され、扉１内に内装されている。図６に示すように、ケース本体１２ａは、扉１と平行に配置される四角形状のベース部１３を有し、そのベース部１３の左右及び上下の各辺には側枠１４ａ〜１４ｄが同方向に屈曲形成されている。左側側枠１４ａ（前枠）の上下両側には、連結固定部１５がそれぞれ延出形成され、その連結固定部１５に形成したネジ貫挿穴１６が形成されている。
【００１５】
そして、ケース本体１２ａ（錠ケース１２）を戸先側の面から扉１内に収容される。この状態から、ネジ貫挿穴１６を介して図示じない固定ネジを扉１の戸先側の面に螺着することによって、ケース本体１２ａ（錠ケース１２）は、扉１に対して固定される。又、左側側枠１４ａ（前枠）には、上下方向に長い長方形の案内孔１７が貫通形成れているとともに、同案内孔１７の上側に軸挿通孔１８が貫通形成されている。尚、左側側枠１４ａには前板Ｐが連結ネジＮ１にて連結され、前板Ｐの面が扉１の戸先側の面を面一となっている。また、前板Ｐには、案内孔１７と連通する孔Ｐａが形成されている。
【００１６】
図６に示すように、ベース部１３の右斜め上の位置には、円形形状の第１貫通穴１９が貫通形成されている。第１貫通穴１９の左側には、上下一対の左側ストッパ片２０が第１貫通穴１９の中心に向かって延出形成されている、また、第１貫通穴１９の右側には、前記一対の左側ストッパ片２０と相対向するように上下一対の右側ストッパ片２１が第１貫通穴１９の中心に向かって延出形成されている。
【００１７】
ベース部１３の内側面１３ａには、図７に示すように、四角形状の第１案内プレート２２が、ベース部１３に対してスポット溶接で接合されている。第１案内プレート２２には、第１ガイド穴２３が貫通形成されている。第１ガイド穴２３は、前記第１貫通穴１９の内径より大きい内径であって、第１貫通穴１９と同一の中心軸を持っている。第１案内プレート２２の下辺には、第１ガイド穴２３の内周面と平行となる外周面２４が切り欠き形成され、その両端部に同外周面２４から外方に延びたストッパ面２５を形成している。
【００１８】
ケース本体１２ａは、ベース部１３及び各側枠１４ａ〜１４ｄにて形成される空間の開口部を閉塞するケースカバー１２ｂが連結される。図８に示すように、ケースカバー１２ｂは、ケース本体１２ａのベース部１３と相対向するように配置される四角形状のプレート部３２を有し、その一側辺には前記左側側枠１４ａの内側面と重なるように配設される前片３３が屈曲形成されている。ケースカバー１２ｂのプレート部３２には、円形形状の第２貫通穴３４は貫通形成されている。そして、第２貫通穴３４は、ケースカバー１２ｂをケース本体１２ａの開口部を閉塞したとき、前記ベース部１３に形成した第１貫通穴１９と相対向するように形成されている。第２貫通穴３４の左側（図８，９では右側）には上下一対の左側ストッパ片３５が第２貫通穴３４の中心に向かって延出形成されている。また、第２貫通穴３４の右側（図８，９では左側）には、前記一対の左側ストッパ片３５と相対向するように上下一対の右側ストッパ片３６が第２貫通穴３４の中心に向かって延出形成されている。従って、ケースカバー１２ｂをケース本体１２ａの開口部を閉塞したとき、第２貫通穴３４に形成した左側及び右側ストッパ片３５，３６は、第１貫通穴１９に形成した左側及び右側ストッパ片２０，２１と相対向して配置される。
【００１９】
ケースカバー１２ｂの前片３３には、一側から矩形状の案内凹部３７が凹設されている。この案内凹部３７はケースカバー１２ｂにてケース本体１２ａの開口部を閉塞したとき、前記左側側枠１４ａに形成した案内孔１７と一致するようになっている。さらに、前片３３には、一側からＵ字状の挿通凹部３８が凹設されている。この挿通凹部３８はケースカバー１２ｂにてケース本体１２ａの開口部を閉塞したとき、前記左側側枠１４ａ（前枠）に形成した軸挿通孔１８と一致するようになっている。前片３３には、ネジ孔３３ａが上下一対形成されている。そして、前記連結ネジＮ１にて前板Ｐ及び左側側枠１４ａとともに前片３３が連結固定されることによって、ケースカバー１２ｂはケース本体１２ａに連結される。
【００２０】
プレート部３２の内側面３２ａには、図９に示すように、前記第１案内プレート２２と同形状の四角形状の第２案内プレート３９が、同プレート部３２に対してスポット溶接で接合されている。第２案内プレート３９には、第２ガイド穴４０が貫通形成されている。第２ガイド穴４０は前記第２貫通穴３４の内径がより大きい内径であって、第２貫通穴３４と同一の中心軸を持つ。又、第２案内プレート３９の下辺には、第１案内プレート２２と同様に、第２ガイド穴４０の内周面と平行なる外周面４１が切り欠き形成され、その両端部に同外周面４１から外方に延びたストッパ面４２を形成している。
【００２１】
第１案内プレート２２と第２案内プレート３９は、図１０に示すように、協働してロックカム装置４５を回動可能に支持する。図１１に示すように、ロックカム装置４５は、貫通穴４６ａが形成された環状のプレートからなる一対のロックカムガイド４６を有し、それぞれ第１及び第２案内プレート２２，３９に形成した第１及び第２ガイド穴２３，４０に嵌合配置される。ロックカムガイド４６の外径は、第１及び第２ガイド穴２３，４０の内径と一致し、第１及び第２ガイド穴２３，４０の内周面を摺動可能に嵌合される。一方、ロックカムガイド４６の貫通穴４６ａの内径は、前記第１及び第２貫通穴１９，３４の内径と一致するように形成されている。ロックカムガイド４６の貫通穴４６ａには、第１及び第２貫通穴１９，３４に形成した左側及び右側ストッパ片２０，２１（３５，３６）と同じ配置関係でそれぞれ一対の左側及び右側係合片４８，４９が形成されている。
【００２２】
ケース本体１２ａ側（室内側）のロックカムガイド４６には、ロックカム５０が固着されている。ロックカム５０は、貫通穴５０ａが形成された環状のプレートからなり、その外径がロックカムガイド４６の外径と一致するとともに、貫通穴５０ａの内径はロックカムガイド４６の貫通穴４６ａの内径と一致する。ロックカム５０の外周には、作動片５１は延出形成さ、その作動片５１にはスタッド５２がカシメ固着されている。そして、作動片５１が形成されたロックカム５０は、ロックカムガイド４６に対して、同作動片５１が、ロックカムガイド４６の一対の左側係合片４８の中間位置と一対の右側係合片４９の中間位置を結ぶ線の延長線上に来るように配置固定されるとともに、第１案内プレート２２の下辺に形成された外周面２４側に配設されるようになっている。
【００２３】
そして、ロックカム５０は、ロックカムガイド４６が第１ガイド穴２３の内周面に沿って回動する。このとき、ロックカム５０の作動片５１に固着したスタッド５２は、第１ガイド穴２３の外周面２４に沿って摺動し、外周面２４の両側に形成したストッパ面２５と係合する。従って、ロックカム５０（ロックカムガイド４６）は、外周面２４の両側に形成したストッパ面２５との間を回動する。
【００２４】
ケースカバー１２ｂ側（室外側）のロックカムガイド４６には、ロックカムスペーサ５３が固着されている。ロックカムスペーサ５３は、貫通穴５３ａが形成された環状のプレートからなり、その外径がロックカムガイド４６の外径と一致するとともに、貫通穴５３ａの内径はロックカムガイド４６の貫通穴４６ａの内径と一致する。ロックカムガイド４６と固着されたロックカムスペーサ５３は、間隔保持部材５４を介して、ロックカム５０と連結固定されている。この時、ケースカバー１２ｂ側のロックカムガイド４６に形成された左側及び右側係合片４８，４９は、ケース本体１２ａ側のロックカムガイド４６に形成した左側及び右側係合片４８，４９と相対向するように配置されている。
【００２５】
従って、ロックカム装置４５は、第１案内プレート２２と第２案内プレート３９の第１及び第２ガイド穴２３，４０に嵌合したロックカムガイド４６によって回動し、作動片５１に固着したスタッド５２が第１案内プレート２２に形成した一対のストッパ面２５に係合することによってその回動範囲が規制される。
【００２６】
尚、図１２に示すように、スタッド５２が右側のストッパ面２５と係合しているとき、ロックカムガイド４６の一対の右側係合片４９の内、反時計回り方向の右側係合片４９が、一対の右側ストッパ片２１，３６の内、時計回り方向の右側ストッパ片２１，３６と相対向するようになっている。このときのロックカム装置４５の回動位置を解錠位置とする。そして、ロックカム装置４５が時計回り方向に回動して、図１３に示すように、スタッド５２が左側のストッパ面２５と係合すると、ロックカムガイド４６の一対の左側係合片４８の内、時計回り方向の左側係合片４８が、一対の左側ストッパ片２１，３６の内、反時計回り方向の左側ストッパ片２１，３６と相対向するようになる。このときのロックカム装置４５の回動位置を施錠位置とする。
【００２７】
図１０において、ロックカム装置４５の戸先側（左側）には、ロックガイド５５が配設されている。ロックガイド５５は、一対の連結支持板５６と、一対の連結支持板５６の下端部間に連結されたガイド板５７とから構成されている。一対の連結支持板５６は、扉１の室内及び室外方向に係止片５８がそれぞれ形成され、前記ベース部１３及びプレート部３２に貫通形成した嵌合穴１３ｂ、３２ｂ（図６及び図８参照）に嵌合する。そして、一対の連結支持板５６は、ロックガイド５５をケース本体１２ａとケースカバー１２ｂとの間で挟持固定されるようになっている。
【００２８】
ロックカム装置４５の下側には、デッドボルト６０が配設されている。デッドボルト６
０は前記左側側枠１４ａ（前板Ｐの孔Ｐａ）に形成した案内孔１７に対して出没可能に配設されている。デッドボルト６０は、断面Ｕ字状のカマ収容部６１と、同収容部６１に後端側壁から後方に延出形成された一対の制御片６２と、カマ収容部６１と制御片６２との下側境界部分に形成された段差面からなるストッパ面６３を有している。
【００２９】
一対の制御片６２には、左右方向の長いガイド孔６４が貫通形成され、そのガイド孔６４には、ケース本体１２ａとケースカバー１２ｂ間に固定されたガイド軸６５が貫挿されている。デッドボルト６０は、ガイド孔６４の右端とガイド軸６５が係合する位置と、ガイド孔６４の左端とガイド軸６５が係合する位置との間を移動する。そして、図１２に示すように、ガイド孔６４の左端とガイド軸６５が係合している時、デッドボルト６０の先端（カマ収容部６１の左端）は、左側側枠１４ａの面と面一になる位置に配置される。この位置をデッドボルト６０の解錠位置とする。反対に、図１３に示すように、ガイド孔６４の右端とガイド軸６５が係合している時、デッドボルト６０の先端は、左側側枠１４ａの面から突出し、出入口枠２に設けたストライカ２ａに嵌入する。この位置をデッドボルト６０の施錠位置とする。
【００３０】
一対の制御片６２の内、ベース部１３側の制御片６２には、その上側に左右一対の従動片６６，６７が形成されている。一対の従動片６６，６７は、相対向する側が斜状に切り欠き形成され、当接面６６ａ，６７ａを形成している。当接面６６ａ，６７ａは、前記ロックカム装置４５の作動片５１が当接するようになっている。詳述すると、ロックカム装置４５が解錠位置にあるとき、図１２に示すように、作動片５１は右側従動片６７の当接面６７ａに当接している。このとき、作動片５１が右側従動片６７の当接面６７ａに当接し右方に押されていることから、デッドボルト６０は解錠位置にある。この状態から、ロックカム装置４５を施錠位置の方向に回動させると、作動片５１は右側従動片６７の当接面６７ａから左側従動片６６の当接面６６ａに移り、左側従動片６６の当接面６６ａを介してデッドボルト６０を左方に移動させる。ロックカム装置４５が施錠位置まで回動すると、図１３に示すように、作動片５１が左側従動片６６の当接面６６ａを介して最も左方位置まで押すことになり、デッドボルト６０は施錠位置まで移動する。
【００３１】
前記ロックカム装置４５の作動片５１に取着したスタッド５２と前記ガイド軸６５との間には、トーションスプリングＳＰ１が連結されている。トーションスプリングＳＰ１は、施錠位置及び解錠位置にあるデッドボルト６０をその位置を保持するように、デッドボルト６０を弾圧支持する。すなわち、ロックカム装置４５が解錠位置にある時、トーションスプリングＳＰ１は、図１２において、作動片５１を反時計回り方向に弾性力を付与する。その結果、作動片５１が当接している右側従動片６７の当接面６７ａには、右方への力が加えられデッドボルト６０を解錠位置に保持するようになっている。
【００３２】
トーションスプリングＳＰ１の弾性力に抗してロックカム装置４５の作動片５１を時計回り方向に回動すると、トーションスプリングＳＰ１は縮設し、やがて作動片５１が所定の回動位置（スプリングＳＰ１のデットポイント）まで回動すると、トーションスプリングＳＰ１は伸張し作動片５１に対して時計回り方向の弾性力を付与する。そして、トーションスプリングＳＰ１は、ロックカム装置４５が施錠位置まで回動すると、作動片５１に係る弾性力によって、左側従動片６６の当接面６６ａを介してデッドボルト６０が施錠位置に保持される。
【００３３】
デッドボルト６０のカマ収容部６１には、カマ６８が収容されている。カマ６８は、その基端部がカマ収容部６１に取着した支軸６９に対して回動可能に支持されている。支軸６９には図示しないスプリングが巻回されその一端がカマ収容部６１に支持され他端がカマ６８に支持されている。そして、カマ６８は、スプリングによって常に時計回り方向に回動させる弾性力が付与される。カマ６８の先端部には上方に屈曲形成されたフック部６
８ａが形成され、フック部６８ａはカマ６８の時計回り回動に伴ってカマ収容部６１の上側開口部から上方に向かって突出するようになっている。
【００３４】
カマ６８の基端部にはカム片６８ｂがフック部６８ａと同方向に延出形成され、そのカム片６８ｂの先端部は、上方に配置された前記ロックガイド５５のガイド板５７にスプリングの弾性力にて弾圧されるようになっている。従って、カマ６８は、デッドボルト６０が解錠位置にあるとき、カム片６８ｂがガイド板５７に規制されカマ収容部６１内に配置される。又、カマ６８は、デッドボルト６０が解錠位置から施錠位置に移動する際、カム片６８ｂが回動を規制されながらガイド板５７を摺接しながらデッドボルト６０とともに移動することからカマ収容部６１内に配置される。さらに、カマ６８は、デッドボルト６０が施錠位置にあるとき、カム片６８ｂがガイド板５７との係合から開放され時計回りに回動しカマ収容部６１から突出する。
【００３５】
デッドボルト６０の下側には、ストッパ部材７０が配設されている。ストッパ部材７０は、下側からデッドボルト６０を内包するように断面Ｕ字状に形成されている。ストッパ部材７０は、その右端部がケース本体１２ａとケースカバー１２ｂとの間に連結固定された支軸７１に対して回動可能に支持されている。支軸７１にはスプリングＳＰ３が巻回されその一端がケース本体１２ａの右側側枠１４ｂに支持され他端がストッパ部材７０の底面に支持されている。そして、ストッパ部材７０は、スプリングＳＰ３によって常に時計回り方向に回動させる弾性力が付与される。従って、デッドボルト６０が施錠位置にあるとき、ストッパ部材７０は、同デッドボルト６０の制御片６２を内包した状態で係合するとともにその先端がストッパ面６３と係合するストッパ位置までに回動して、同デッドボルト６０の解錠位置方向への移動を規制する。
【００３６】
断面Ｕ字状のストッパ部材７０のベース部１３側の側壁７２には、当接片７３が上方に向かって延出形成されている。当接片７３には、前記制御片６２のガイド孔６４を貫通するガイド軸６５を貫通し且つストッパ部材７０の回動を許容するための逃げ穴７４が貫通形成されている。又、その当接片７３の上端部は、ストッパ部材７０がストッパ位置にある時、デッドボルト６０の制御片６２より上方に位置するとともに、制御片６２に形成した一対の従動片６６，６７の間に配置される。そして、当接片７３は、ロックカム装置４５を施錠位置から解錠位置に回動させるとき、作動片５１に取着したスタッド５２が当接し下方に押圧される。その結果、ストッパ部材７０は、反時計回り方向に回動し、デッドボルト６０のストッパ面６３との係合を解除し、同デッドボルト６０の解錠方向への移動を可能にする。従って、ストッパ部材７０との係合が解除されたデッドボルト６０は、右側従動片６６がロックカム装置４５の作動片５１によって押圧されることによって解錠位置に移動する。
【００３７】
図２に示すように、錠ケース１２の室内側であって扉１の室内側化粧板３から露出するようにサムターン８０が配設される。図１４（ａ）（ｂ）に示すように、サムターン８０は、サムターン本体８１、サムターン軸８２、サムターンカム８３、台座９７、摘み９８を備えている。
【００３８】
サムターン本体８１は、図１５（ａ）（ｂ）に示すように、大径部８１ａと小径部８１ｂを有している。大径部８１ａには、大径の収容凹部８４が形成されその収容凹部８４の奥面には小径の嵌合凹部８５が凹設されている。嵌合凹部８５の内周面には、図１５（ａ）に示すように、相対向する一対の切り欠き凹部８５ａが凹設されている。小径部８１ｂは、収納凹部８６が凹設されている。収納凹部８６の内径は、前記大径部８１ａの収容凹部８４の内径より小さく、嵌合凹部８５の内径より大きい。
【００３９】
図１５（ｂ）に示すように、収納凹部８６の奥面であって、前記嵌合凹部８５に凹設し
た一対の切り欠き凹部８５ａと相対向する位置には、扇形状のカム突起８７が突設形成されている。そして、その一対のカム突起８７には、切り欠き凹部８５ａまで貫通する貫通穴８８がそれぞれ形成されている。また、収納凹部８６の奥面の中央位置には、サムターン軸８２の一部が嵌入する挿入穴９０が嵌合凹部まで貫通形成されている。
【００４０】
サムターン軸８２は、図１５（ａ）（ｂ）に示すように、大径部８２ａと小径部８２ｂを有し、大径部８２ａと小径部８２ｂを連通する十字形状の操作軸穴９１が貫通形成されている。小径部８２ｂの外周面には環状溝９２が形成されている。小径部８２ｂと大径部８２ａとの境界の段差面８２ｃには、位置決め突起９３が形成されている。そして、その小径部８２ｂにはサムターンカム８３が配設される。
【００４１】
サムターンカム８３は、環状部９４とその環状部９４の外周部に相対向するように延出形成された一対の駆動片９５とを有している。環状部９４の内径は、前記サムターン軸８２の小径部８２ｂの外径より若干大きく形成されている。また、環状部９４の一対の駆動片９５の一方側の内周面には、切り欠き凹部９６が形成されている。一対の駆動片９５は、その基部が環状部９４が形成する面方向に沿って延出形成され、その基端部から直角に折り曲げ形成されている。
【００４２】
そして、サムターン軸８２の小径部８２ｂに、サムターンカム８３の環状部９４を一対の駆動片９５がサムターン軸８２の大径部８２ａ側の位置するように挿通する。このとき、環状部９４（サムターンカム８３）は、段差面８２ｃと当接するとともに、段差面８３ｃに形成した位置決め突起９３が切り欠き凹部９６と嵌合するため、サムターン軸８２の小径部８２ｂに対して回転不能に貫通支持される。
【００４３】
このように、サムターンカム８３を貫挿したサムターン軸８２は、前記サムターン本体８１に回動可能に取着される。詳述すると、サムターンカム８３を取着したサムターン軸８２の小径部８２ｂを、サムターン本体８１に形成した挿入穴９０に収納凹部８６側から貫挿する。このとき、サムターン軸８２の大径部８２ａの外径は挿入穴９０より大きいため、収納凹部８６の底面と係合し、小径部８２ｂの先端部（環状溝９２）が嵌合凹部８５に突出する。そして、嵌合凹部８５に突出した小径部８２ｂの環状溝９２にＣリングＲを嵌着させることによって、サムターン軸８２（サムターンカム８３）は、サムターン本体８１に対して軸線方向に移動不能に、かつ、軸線を回動中心に回動可能に支持される。
【００４４】
サムターン軸８２（サムターンカム８３）を支持したサムターン本体８１は、図１４に示すように、その小径部８１ｂに台座９７が外嵌される。台座９７は、円錐台形をなした筒体であって、その基端面が扉１の室内側化粧板３に当接するようになっている。そして、台座９７の基端開口部にバネ受け部９７ａは形成され、バネ受け部９７ａとサムターン本体８１の段差面（小径部８１ｂと大径部８１ａとの境界をなす面）の間にコイルスプリングＳＰ４を介在した状態で、サムターン本体８１は錠ケース１２に固定されるようになっている。
【００４５】
このサムターン本体８１が錠ケース１２に固定される際、サムターン本体８１に支持されているサムターンカム８３の一対の駆動片９５が、前記ロックカム装置４５の一対の左側及び右側係合片４８，４９の間にそれぞれ介在するように固定される。つまり、図１２及び図１３に２点鎖線で示すように、一方の駆動片９５の先端が一対の左側係合片４８の間に介在（係合）し、他方の駆動片９５は一対の右側係合片の間に介在（係合）するように、サムターン本体８１は後記するキーシリンダ錠１００を介して錠ケース１２に対して固定される。サムターンカム８３（サムターン軸８２）がサムターン本体８１に対して回動すると、一対の駆動片９５はそれぞれ係合する左側及び右側係合片４８，４９を介してロックカム装置４５を回動させる。つまり、ロックカム装置４５を解錠位置と施錠位置と
の間を回動させることができる。
【００４６】
サムターン本体８１は、その収容凹部８４に摘み９８が回動可能に収容支持されている。摘み９８の回転軸９８ａは、収容凹部８４の底部に凹設した嵌合凹部８５に突出したサムターン軸８２の操作軸穴９１に挿着されている。従って、摘み９８を回動操作することによって、サムターン軸８２（サムターンカム８３）を回動し、前記ロックカム装置４５を回動させることができる。つまり、デッドボルト６０を施錠位置と解錠位置に移動させることができる。
【００４７】
図１に示すように、錠ケース１２の室外側であって扉１の室外側化粧板４から一部が露出するようにキーシリンダ錠１００が配設されている。図１６に示すように、キーシリンダ錠１００は、有蓋筒状の外筒１０１を有している。
【００４８】
外筒１０１の外径であって先端フランジ部１０２を除く外周部の外径は、前記ロックカム装置４５の左側係合片４８と右側係合片４９の間の間隔より小さく形成されている。そして、図１７、図１８に示すように、外筒１０１は、第１及び第２貫通穴１９，３４、ロックカム装置４５を貫通し、外筒１０１の開口端面が前記サムターン本体８１の収納凹部８６に突設した扇形状のカム突起８７に当接するように配置される。
【００４９】
外筒１０１の外周面の軸線方向に相対向するように一対の突条１０３が形成されている。一対の突条１０３は、外筒１０１を第１及び第２貫通穴１９，３４を貫挿するとき、図１２及び図１３に２点鎖線で示すように、第１及び第２貫通穴１９，３４に形成した一対の左側ストッパ片２０，３５及び一対の右側ストッパ片２１，３６の間にそれぞれ介在（係合）するようになっている。
【００５０】
一対の突条１０３には、固定穴１０４が凹設されている。固定穴１０４には、外筒１０１を第１及び第２貫通穴１９，３４に貫挿したとき、図１７に示すように、ロックガイド５５の一対の連結支持板５６を貫通するスタッド１０５（図１０、１２、１３参照）の先端部が嵌入される。これによって、外筒１０１は錠ケース１２に対して位置決め支持固定される。即ち、キーシリンダ錠１００は、錠ケース１２に対して一体的に固定されることになる。
【００５１】
外筒１０１の開口端部の面であって前記突条１０３が形成された位置に一対のネジ孔１０６が形成されている。そして、図１７に示すように、サムターン本体８１側からカム突起８７に形成した貫通穴８８にネジＮ３を挿通し、該ネジＮ３を外筒１０１の開口端部の面のネジ孔１０６に螺着することにより、サムターン本体８１に対してキーシリンダ錠１００の外筒１０１は固定される。即ち、サムターン８０は、外筒１０１を介して錠ケース１２に対して固定される。このとき、キーシリンダ錠１００の外筒１０１は、サムターン本体８１に固定されるため、錠ケース１２の厚さ分だけサムターン本体８１側に偏倚することから、扉１の室外側化粧板４から突出する突出量Ｈが小さくなる。つまり、外筒１０１の先端フランジ部１０２は短くなる。
【００５２】
外筒１０１の筒内には、鍵を挿入されるタンブラーを有する２点鎖線で示すインナ部材としての内筒１０７が収容される。外筒１０１の閉塞部の中央位置には鍵挿入窓１０８が形成され、筒内に収容された内筒１０７の鍵穴１０９（図３参照）が露出するようになっている。そして、鍵穴１０９に差し込んだ鍵の回動操作と共に回動する内筒１０７に設けた回転軸１１０が前記サムターン本体８１まで延出形成されている。そして、回転軸１１０は、サムターン軸８２の操作軸穴９１に嵌入されている。
【００５３】
従って、キーシリンダ錠１００に鍵を差し込んで回動操作したとき、サムターン軸８２
（サムターンカム８３）を介してロックカム装置４５（デッドボルト６０）を解錠位置や施錠位置に移動させることができる。
【００５４】
上記実施形態によれば以下のような効果を得ることができる。
（１）本実施形態によれば、キーシリンダ錠１００の外筒１０１を、錠ケース１２の室内側に配置されたサムターン本体８１に連結固定した。従って、キーシリンダ錠１００の外筒１０１は、錠ケース１２の厚さ分だけサムターン本体８１側に偏倚させることができ、扉１の室外側化粧板４から突出する突出量Ｈが小さくすることができる。
【００５５】
（２）本実施形態によれば、キーシリンダ錠１００の外筒１０１を扉１の室外側化粧板４からの突出量Ｈが小さくすることができることから、ハンマーを使ってキーシリンダ錠１００を破壊し難くなるとともにキーシリンダ錠１００を把持し難くもぎ取られ難くすることができる。
【００５６】
また、突出量Ｈが小さくすることができることから、扉１を周りの建具との調和を図ることができ、扉１のデザイン性を損なうこともなく、扉１の設計の自由度を高めることができる。キーシリンダ錠１００の出っ張りによって、体の一部が当たってケガをしたり、衣服が引っ掛かって衣服を破ってしまうといったことがなくなる。
【００５７】
（３）本実施形態によれば、キーシリンダ錠１００（回転軸１１０）は、サムターン８０（サムターン軸８２及びサムターンカム８３）を介してデッドボルト６０を作動させるロックカム装置４５と駆動連結させている。従って、ロックカム装置４５に対して、キーシリンダ錠１００とサムターン８０がそれぞれ直接駆動連結されていない分だけ連結構造が簡単になる。しかも、キーシリンダ錠１００は、サムターン軸８２及びサムターンカム８３を介して確実にデッドボルト６０を解錠位置と施錠位置の間を作動させることができる。
【００５８】
なお、上記実施形態は、以下のように変更してもよい。
・上記実施形態では、キーシリンダ錠１００の突出量Ｈを小さくするために、キーシリンダ錠１００（外筒１０１）を、錠ケース１２を貫通させて同錠ケース１２の室内側に設けたサムターン８０（サムターン本体８１）に連結させた。これを、サムターン本体８１を、錠ケース１２を貫通させて同錠ケース１２の室外側に設けたキーシリンダ錠１０（外筒１０１）に連結させて、サムターン８０の突出量を小さくするようにしてもよい。
【００５９】
又、サムターン本体８１と外筒１０１とを、錠ケース１２の中間位置まで貫挿し、その中間位置で互いに連結してもよい。この場合、キーシリンダ錠１００とサムターン８０の突出量をそれぞれ小さくすることができる。
【００６０】
・上記実施形態では、サムターン８０のサムターンカム８３を介してデッドボルト６０を作動させるロックカム装置４５と駆動連結させた。これを、キーシリンダ錠１００の回転軸１１０をロックカム装置４５と駆動連結させ、サムターン８０を、キーシリンダ錠１００の回転軸１１０を介してロックカム装置４５を作動させるようにしてもよい。
【００６１】
・上記実施形態では、デッドボルト６０にカマ６８を設けたが、カマ６８を設けないデッドボルト６０を備えたケースロック装置に応用してもよい。
【図面の簡単な説明】
【００６２】
【図１】扉を室外側から見た全体図。
【図２】扉を室内側から見た全体図。
【図３】扉を戸先側から見た要部斜視図。
【図４】ケースロック装置の全体斜視図。
【図５】ケースロック装置の全体斜視図。
【図６】錠ケースのケース本体を室外側から見た図。
【図７】ケース本体に第１案内プレートを取り付けた図。
【図８】錠ケースのケースカバーを室内側から見た図。
【図９】ケースカバーに第１案内プレートを取り付けた図。
【図１０】ロックカム装置の取り付け状態を示す図。
【図１１】ロックカム装置の分解斜視図。
【図１２】解錠位置にあるロックカム装置及びデッドボルトを示す図。
【図１３】施錠位置にあるロックカム装置及びデッドボルトを示す図。
【図１４】サムターンを説明する説明図であって、（ａ）はサムターンの側面図、（ｂ）はサムターンの一部切り欠き分解図。
【図１５】サムターン本体を説明する説明図であって、（ａ）はサムターン本体の室内側から見た斜視図、（ｂ）はサムターン本体の室外側からみた斜視図。
【図１６】キーシリンダ錠の外筒を説明する説明図であって、（ａ）は外筒の斜視図、（ｂ）は背面図、（ｃ）は側断面図。
【図１７】キーシリンダ錠とサムターンの連結状態を示す要部断面図。
【図１８】同じく、キーシリンダ錠とサムターンの連結状態を示す要部断面図。
【符号の説明】
【００６３】
１…扉、３…化粧板、４…化粧板、１１…ケースロック装置、１２…錠ケース、１２ａ…ケース本体、１２ｂ…ケースカバー、１３…ベース部、１９…第１貫通穴、２０，３５…左側ストパ片、２１，３６…右側ストッパ片、２２…第１案内プレート、２３…第１ガイド穴、３２…プレート部、３４…第２貫通穴、３９…第２案内プレート、４０…第２ガイド穴、４５…作動機構としてのロックカム装置、５５…ロックカムガイド、６０…デッドボルト、８０…サムターン、８１…サムターン本体、８２…サムターン軸、８３…サムターンカム、１００…キーシリンダ錠、１０１…外筒、１０７…インナ部材としての内筒、１１０…回転軸。
【図１】
0004716098.tif 000002
【図２】
0004716098.tif 000003
【図３】
0004716098.tif 000004
【図４】
0004716098.tif 000005
【図５】
0004716098.tif 000006
【図６】
0004716098.tif 000007
【図７】
0004716098.tif 000008
【図８】
0004716098.tif 000009
【図９】
0004716098.tif 000010
【図１０】
0004716098.tif 000011
【図１１】
0004716098.tif 000012
【図１２】
0004716098.tif 000013
【図１３】
0004716098.tif 000014
【図１４】
0004716098.tif 000015
【図１５】
0004716098.tif 000016
【図１６】
0004716098.tif 000017
【図１７】
0004716098.tif 000018
【図１８】
0004716098.tif 000019